(57)【要約】【課題】            肥満症への対応が、現状では医療機関による薬物療法、科学療法、リハビリ療法、そして個人的にはダイエット、運動、痩せ薬等に依存する対処的な方法のみであることである。【解決手段】        耳介の下輪脚における経穴である膈点の刺激用具は全体形状の少なくとも一部に球面部を形成し、耳介の下輪脚と下脚の間に圧入挟持可能としたこととし、前記した刺激用具はシリコン樹脂、ウレタン、ポリマージェル等のプラスチック、ゴム、発泡スチロール等の柔らかく、弾性を有する素材により成形されていることとし、前記した刺激用具の一部に刺激材として永久磁石を埋設もしくは一部露出状態で埋設してあることとする。【選択図】          図１
2005143876.tif 000002
【特許請求の範囲】
【請求項１】
全体形状の少なくとも一部に球面部を形成し、耳介の下輪脚と下脚の間に圧入挟持可能としたことを特徴とする耳介の下輪脚における経穴である膈点の刺激用具。
【請求項２】
前記した刺激用具はシリコン樹脂、ウレタン、ポリマージェル等のプラスチック、ゴム、発泡スチロール等の柔らかく、弾性を有する素材により成形されていることを特徴とする請求項１に記載の耳介の下輪脚における経穴である膈点の刺激用具。
【請求項３】
前記した刺激用具の一部に刺激材として永久磁石を埋設もしくは一部露出状態で埋設してあることを特徴とする請求項１または請求項２に記載の耳介の下輪脚における経穴である膈点である刺激用具。
【請求項４】
前記した永久磁石はペレット状とし、かつ、低ガウスのものを使用していることを特徴とする請求項３に記載の耳介の下輪脚における経穴である膈点の刺激用具。
【発明の詳細な説明】
【技術分野】
【０００１】
本発明は耳介の下輪脚における経穴である膈点の刺激用具に関し、この膈点を持続して刺激し続けることができるようにした刺激用具に関する。
【背景技術】
【０００２】
現在我が国をはじめとする先進諸国にあっては、食べ過ぎ、栄養過多、運動不足、加齢による内臓、消化器官の内分泌ホルモンの分泌低下等によって脂肪や水分が体内に蓄積してしまい、内臓や筋肉が弛緩し、弾力を失ってしまう結果として脂肪太り、水太り等の肥満症が増えている。
【０００３】
また、上記した肥満の状態は現代病とも言われる心臓病、高血圧症、高脂血症、糖尿病や自律神経失調症の原因ともなり、体重増加による膝、腰の疾患者も増加している。
【０００４】
前記した脂肪太りは食物として肉類、動物性脂肪、油等の高カロリー、高脂肪、高蛋白質の摂取しすぎにより、体内で、特に肝臓と胆嚢からの消化分泌ホルモンによる分解消化力の限度を超えてしまい、脂肪分が残ってしまうので、特に内臓に脂肪が蓄積する内臓脂肪や、体全体の筋肉から上皮の間、特に腹部に脂肪が蓄積して筋肉が弛緩し、弾力を失うことにより生じる。
【０００５】
また、水太りは、人間の体は一般的に医学的見地から食事と喉の渇きから得る水分として一日約１、５００ｃｃで十分に生体を維持できるとされてはいるが、茶やジュース、アルコール飲料そして水等の飲みすぎで、腎臓と膀胱による代謝機能の限度を超し、余分な水分が体内、特に細胞内に蓄積されることで生じる。
【０００６】
この脂肪太り、水太りの肥満症は、若い世代の運動をしている者や体を十分に使って仕事をしている者は脂肪の体内燃焼によるエネルギー化への交換や水分の体表面からの蒸発、腎臓と膀胱からの排出の代謝機能が十分になされるので生じることはないが、加齢とともに運動不足となり、特に消化器官と排尿器官の機能低下による内分泌ホルモンの分泌減少が原因となって生じるものと考えられている。
【特許文献１】出願人において先行技術の調査を行なったが、特に関連すると思われるものは見当らなかった。
【非特許文献１】佐藤久三著「人体のツボ」ナツメ社出版２０００年
【発明の開示】
【発明が解決しようとする課題】
【０００７】
本発明が解決しようとする問題点は前記した肥満症への対応が、現状では医療機関による薬物療法、科学療法、リハビリ療法、そして個人的にはダイエット、運動、痩せ薬等に依存する対処的な方法のみであることである。
【０００８】
また、東洋医学では鍼灸や指圧等で効果的な経穴を刺激することも知られているが、この経穴の刺激は通常、当該施設へ出向して短時間の刺激を受けるということに止まり、前記した医療機関や個人的な対処とともに、持続性がなく、場合によっては高額な費用を要するものとなっている。
【課題を解決するための手段】
【０００９】
上記した課題を解決するために、本発明に係る耳介の下輪脚における経穴である膈点の刺激用具は全体形状の少なくとも一部に球面部を形成し、耳介の下輪脚と下脚の間に圧入挟持可能としたことを特徴とし、前記した刺激用具はシリコン樹脂、ウレタン、ポリマージェル等のプラスチック、ゴム、発泡スチロール等の柔らかく、弾性を有する素材により成形されていることを特徴とし、前記した刺激用具の一部に刺激材として永久磁石を埋設もしくは一部露出状態で埋設してあることを特徴とし、前記した永久磁石はペレット状とし、かつ、低ガウスのものを使用していることを特徴としている。
【発明の効果】
【００１０】
係る構成としたことにより、刺激用具を耳介の下輪脚と下脚の間（三角窩）に圧入挟持させることができることとなり、下輪脚にある経穴の膈点をある程度の長時間に亘って刺激し続けることができるようになる。そして、各個人によって形態の異なる該部位に適切にフィットし、滑り落ち、抜け落ちが防止される確実な密着性を得ることができ、誰もが格別な努力や費用を不要として、肥満対策を実行できるものとなる。
【００１１】
上記した耳介の下輪脚における経穴膈点は、背部に存在している経穴である膈兪を刺激した場合と同様の効果が得られることが知られている（非特許文献１を参照）。この経穴の膈兪は背部脊柱の第７胸椎の左右４〜５ｃｍぐらいの位置に存在する。また、背部脊柱は、手の肘から先、足の膝から下、腹部、背部にある病態反応に敏感な経穴「要穴」を結んでいる１４経路（正経１２経と督脈、任脈）の一つである背部２行線の膀胱経第１線の経路にある。
【００１２】
この膈兪を鍼灸または指圧をして刺激することにより、経路上にある肝兪、胆兪、脾兪、胃兪、腎兪、大腸兪、小腸兪、膀胱兪（膵兪は除かれる）が経路を通じて連動して刺激され、その結果、経路上の各臓器と消化器官、排尿器官の機能が向上し、特に肝臓、胆嚢の機能向上により正常値の内分泌ホルモンである消化酵素が分泌され、過多な脂肪が分解、消化され、排尿器官である腎臓の利尿ホルモンの分泌による代謝濾過及び膀胱の排尿の機能向上により体内の余分な水分が排尿され、脂肪太り、水太りの肥満症を改善することができる。
【００１３】
昔より、痩せの大食いということが言われているが、これは特に内臓、消化器官の働きが強く、摂取した食物を高い分解力で消化でき、その発生するエネルギーで体内温度が高く維持されることで、内臓への脂肪及び皮下の脂肪が燃焼されて蓄積されてしまうことがないことによる。
【００１４】
体内温度を高く維持することで、特に肝臓、胆嚢から内分泌ホルモンである消化酵素が正常に分泌され、ホルモン分泌量の異常低下による肥満症が改善される。
【００１５】
また、体内温度が低いと、体内からの熱エネルギーが奪われ、生命の維持が困難ともなるので、生命の維持本能が皮下脂肪を厚くして体表面からの放熱を抑え、かつ、内臓脂肪を多く蓄積することで生体内の熱エネルギーを増やし保持して生命の保持作用によって脂肪太りとなる。
【００１６】
前記したように係る作用をなす膈兪の刺激と同様の効果が得られるのが背部以外でただ一つの箇所である左の耳介の下輪脚における経穴である膈点であり、鍼灸治療で耳鍼を打ち、痩せる箇所、あるいは食欲を抑える箇所といわれるのがこの膈点である。
【００１７】
本発明に係る刺激用具は特に、食事の摂取時から胃により消化されて小腸で吸収されるまでの１〜３時間の間に膈点を刺激し続けることで、特に膀胱経路の肝臓、胆嚢の分泌機能が活性され、より多くの消化ホルモンの分泌によって脂肪の分解を高く促し、熱エネルギーへの変換がなされることで内臓脂肪、皮下脂肪の蓄積を抑えることができる。
【００１８】
また、体熱を上昇させることで体表面からの汗として水分の発散を促し、膀胱経路の腎臓の利尿ホルモンの分泌が活性化され代謝濾過及び膀胱の排尿機能が高くなり、体内の余分な水分を排尿できることで脂肪太り、水太りが根本から改善され、自然に体が引き締まり肥満症が改善されることとなるのである。
【発明を実施するための最良の形態】
【００１９】
最良の実施の形態として、各個人ごとに形態の異なる耳介の下輪脚と下脚との間隔や傾斜角に適応し、より確実に圧入し挟持することができるように全体を柔らかく弾性を保有しているシリコン樹脂を用いて球形に成形し、任意の一箇所に刺激材として直径略３.５ｍｍ、高さ略１.８ｍｍのペレット状をした永久磁石を穿孔して埋設または一部を露出して埋設することで実現した。
【実施例１】
【００２０】
次に、本発明の好ましい実施の一例を図面を参照して説明する。図１は本発明を実施した刺激用具の斜視図、図２は同じく一部を破断して示す正面図、図３は同じく他の形態を示す図、図４は左耳介を示す図、図５は同じく耳甲介を示す図、図６は同じく拡大図、図７は同じく耳介の下輪脚と下脚の断面図、図８は同じく使用状態の断面図、図９は同じく平面図、図１０は同じく横面図である。
【００２１】
これらの図にあって１は刺激用具本体を示している。この刺激用具本体１はソフトシリコン樹脂を素材として球形に成形されており、この素材によって緩衝性と還元性を保有したものとされており、その直径寸法は略１０ｍｍを想定している。
【００２２】
この刺激用具本体１の略直径軸線上となる一部には、直径略３ｍｍ、深さ略１.５ｍｍの略楕球状をした穴が穿設され、その穴に直径略３.５ｍｍ、高さ（厚さ）略１.８ｍｍのペレット状をした永久磁石２が刺激材として一部露出されて埋設されている。
【００２３】
また、図３として示す場合は刺激用具本体１ａを鶏卵状に成形した構成とし、最大径部分に永久磁石２を埋設したものとしてある。
【００２４】
ここで、永久磁石２として、最近肩こり等の解消効果を高めるために高ガウスのものが氾濫しているが、現状の医学では人体内の潜在的疾患への影響が解明されていないので、本実施例にあっては頭部に隣接して使用することから高い安全性のため、即ち、磁場、磁力線の頭部への影響を避けるため、磁場、磁力線の範囲の狭い低ガウスのものを使用することとしている。
【００２５】
次に、前記した刺激用具本体１・１ａの使用方法及び作用を説明する。耳介における下輪脚３と下脚４の略三角形の窪み、即ち耳甲介５は図に示すように耳輪の前方から耳介中心にある対輪近くの壁面まで伸びており、断面として見ると肉厚の長い膨らみとして表面外側斜め上方に向けて少しアール状としてせり上がっている。また、耳甲介５との壁面の間はアール状の窪みとなっている。
【００２６】
下輪脚３の上に対輪脚から派生した硬く長い盛り上がりの下脚４が傘をさすように下輪脚３の上に覆いかぶさり、耳介の前部まで伸びており、この耳介前部を頂点とする略三角形の窪みが形成されている。
【００２７】
特に下輪脚３の高い伸縮性と柔軟性により、刺激用具本体１・１ａをこの間に差し込む（圧入する）ことで下輪脚３と下脚４を上下に押し拡げ、かつ、下輪脚３と下脚４の還元性で刺激用具本体１・１ａを包み込む形態となり、刺激用具本体１・１ａの素材の特性とも相俟って、このスポットへの密着性が増加され、刺激用具本体１・１ａは密に挟持、保持されることとなる。
【００２８】
さらに、下輪脚３と下脚４との間隔の広狭や奥行き形状の差異は刺激用具本体１の形状によって吸収調整が可能となる。即ち、後方が拡がっている場合は前方に移動させ、前方が狭まっている場合には後方に少し移動させることで確実な装着、保持がなされることになる。
【００２９】
下輪脚３の先端近傍には経穴としての膈点Ｐが存在しており、刺激材として一部露出された永久磁石２はこの膈点Ｐへ裏側から位置を合わせて装着する。永久磁石２の突出されたことによる押圧効果に加え、磁力線による刺激もなされ、東洋医学における背部の経路（膀胱経）の各経穴が連鎖反応して肥満症改善の効果が得られることになる。
【産業上の利用可能性】
【００３０】
本発明は上述のように構成され、作用するものであるので、形状に加工を加えることで、耳介における他の経穴の刺激用として応用することもでき、また、着脱の便宜のため、一部に摘み等を備えさせることも勿論可能となる。
【図面の簡単な説明】
【００３１】
【図１】本発明を実施した刺激用具の斜視図である。
【図２】一部を破断して示す正面図である。
【図３】他の形態を示す図である。
【図４】左耳介を示す図である。
【図５】耳甲介を示す図である。
【図６】拡大図である。
【図７】耳介の下輪脚と下脚の断面図である。
【図８】使用状態の断面図である。
【図９】平面図である。
【図１０】横面図である。
【符号の説明】
【００３２】
１    刺激用具本体
１ａ  刺激用具本体
２    永久磁石
３    下輪脚
４    下脚
５    耳甲介
Ｐ    膈点
【図１】
2005143876.tif 000003
【図２】
2005143876.tif 000004
【図３】
2005143876.tif 000005
【図４】
2005143876.tif 000006
【図５】
2005143876.tif 000007
【図６】
2005143876.tif 000008
【図７】
2005143876.tif 000009
【図８】
2005143876.tif 000010
【図９】
2005143876.tif 000011
【図１０】
2005143876.tif 000012